【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
ラック貯蔵物の防護用ドライ天井専用火災防護システムであって、ラック貯蔵物が、（ｉ）約７．６ｍ（２５フィート）より高い貯蔵物高さを有するクラスＩ−ＩＩＩ、グループＡ、グループＢ又はグループＣ、及び（ｉｉ）約６．７ｍ（２２フィート）より高い貯蔵物高さを有するクラスＩＶ、の何れか１つの商品クラスを有するドライ天井専用火災防護システムにおいて、
パイプのネットワークと、
ラック貯蔵物上に配置された複数のスプリンクラーと、を具備しており、該複数のスプリンクラーは約１１より大きいＫファクターと、１４１℃（２８６°Ｆ）より高い熱定格を備えることを特徴とするシステム。
【請求項２】
制御バルブと、該制御バルブと連通する開放制御パネルとを具備しており、制御バルブはソレノイド作動制御バルブであり、開放制御パネルは、圧力低下又は火災検知のいずれかの信号の受信によって制御バルブの作動のためにソレノイド作動制御バルブを付勢することを特徴とする請求項１記載のシステム。
【請求項３】
制御バルブと、該制御バルブと連通する開放制御パネルと、パイプのネットワーク内のガス圧力の低下の量を開放制御パネルに信号で通信するように開放制御パネルと連通する迅速開放装置とを更に具備していることを特徴とする請求項１記載のシステム。
【請求項４】
ウェット部分と、ドライ部分と、ウェット部分及びドライブ部分間の制御された分離を設ける一次水制御バルブとを具備しており、一次水制御バルブに対して少なくとも１つの水力学的に離間するスプリンクラーを規定するようにドライ部分内に複数のスプリンクラーが配設されており、最小流体遅延期間と最大流体遅延期間とを備え、最小流体遅延期間及び最大流体遅延期間が、制御バルブから少なくとも１つの水力学的に離間するスプリンクラーに流体を供給するように時間を規定していることを特徴とする請求項１記載のシステム。
【請求項５】
ラック貯蔵物が、天井高さを有する天井の下に配置され、天井高さが約９．１ｍ（約３０フィート）から約１３．７ｍ（約４５フィート）に及ぶ時に、最大流体供給遅延が約３０秒より小さくて最小流体供給遅延期間が約４秒から約１０秒に及ぶように、最小及び最大流体供給遅延期間が少なくとも天井高さ又は貯蔵物高さの関数であることを特徴とする請求項４記載のシステム。
【請求項６】
複数のスプリンクラーが、少なくとも１つの水力学的に離間したスプリンクラーと、約２．４ｍ（約８フィート）から約３．７ｍ（約１２フィート）に及ぶスプリンクラーからスプリンクラーの間隔の約２５のスプリンクラーのグリッドとを有する水力学的設計面積を更に規定していることを特徴とする請求項１乃至５のいずれか１つに記載のシステム。
【請求項７】
複数のスプリンクラーが、少なくとも１つの水力学的に離間したスプリンクラーを有する水力学的設計面積を更に規定しており、該水力学的設計面積が約２４１．５平方メートル（約２６００平方フィート）より小さいことを特徴とする請求項１乃至５のいずれか１つに記載のシステム。
【請求項８】
約９．１ｍ（約３０フィート）から約１３．７ｍ（約４５フィート）に及ぶ天井高さを有する天井の下にラック貯蔵物が配置されることを特徴とする請求項１乃至４のいずれか１つに記載のシステム。
【請求項９】
ラック貯蔵物が、約１３．７ｍ（約４５フィート）よりも高くない天井高さを有する天井の下に配置されて、貯蔵物高さが約１２．１２ｍ（約４０フィート）迄であり、更に、複数のスプリンクラーが約２３２．２平方メートル（約２５００平方フィート）以下であるシステムの水力学的設計面積を規定していることを特徴とする請求項１乃至４のいずれか１つに記載のシステム。
【請求項１０】
パイプのネットワークがループ形状の１つ又は木の形状を規定していることを特徴とする請求項１乃至５のいずれか１つに記載のシステム。
【請求項１１】
火災の場合に、スプリンクラーの作動前に、火災検知器が作動するように、複数のスプリンクラーに対して間隔を置いて設けられた１つ以上の火災検知器を更に具備することを特徴とする請求項１乃至５のいずれか１つに記載のシステム。
【請求項１２】
Ｋファクターが約１７であることを特徴とする請求項１乃至５のいずれか１つに記載のシステム。
【請求項１３】
Ｋファクターが約２５であることを特徴とする請求項１乃至５のいずれか１つに記載のシステム。
【請求項１４】
複数のスプリンクラーが、約１０３４ｈＰａ（約１５ｐｓｉ）から約４１３７ｈＰａ（約６０ｐｓｉ）の範囲に及ぶ動作圧力を有することを特徴とする請求項１乃至５のいずれか１つに記載のシステム。
【請求項１５】
（ｉ）約７．６ｍ（２５フィート）より高い貯蔵物高さを有するクラスＩ−ＩＩＩ、グループＡ、グループＢ又はグループＣ、及び（ｉｉ）約６．７ｍ（２２フィート）より高い貯蔵物高さを有するクラスＩＶ、のいずれか１つの商品クラスを有するラック貯蔵物の上にパイプのネットワークを取付ける過程と、
ラック貯蔵物上に配置されるようにパイプのネットワークに亘って、約１１より大きいＫファクターと約１４１℃（２８６°Ｆ）の熱定格とを有する複数のスプリンクラーを配設する過程と、
を具備することを特徴とする天井専用火災防護の方法。
【請求項１６】
制御バルブをパイプのネットワークに接続する過程と、制御バルブと連通して開放制御パネルを配設する過程とを更に具備し、制御バルブを接続する過程が、ソレノイド制御バルブをネットワークに接続する過程を備え、制御バルブと連通して開放制御パネルを配設する過程が、圧力低下又は火災検出の何れかの信号を受ける制御パネルにおける制御バルブの作動のためのソレノイドバルブを付勢する過程を備えることを特徴とする請求項１５記載の方法。
【請求項１７】
制御バルブをパイプのネットワークに接続する過程と、
制御バルブと連通して開放制御パネルを配設する過程と、
開放制御パネルと連通して迅速開放装置を設置摺る過程と、
を具備し、迅速開放装置が開放制御パネルに信号を送ってパイプのネットワーク内のガス圧力の減少する量を検出することを特徴とする請求項１５記載の方法。
【請求項１８】
パイプのネットワーク内のウェット部分とドライ部分とを一次水制御バルブで分離する過程を更に具備しており、複数のスプリンクラーの配設が、制御バルブから少なくとも１つの水力学的に閉じたスプリンクラーに流体が供給される最小流体供給遅延期間及び最大流体供給遅延期間を有する少なくとも１つの水力学的に離間したスプリンクラーを提供することを特徴とする請求項１５記載の方法。
【請求項１９】
天井高さが約９．１ｍ（約３０フィート）から約１３．７ｍ（約４５フィート）に及ぶ時に、最大流体供給遅延が約３０秒より小さく、最小流体供給遅延期間が約４秒から約１０秒に及ぶように、最小及び最大流体供給遅延期間が少なくとも天井高さ又は貯蔵物高さの関数であることを、複数のスプリンクラーを配設する過程が提供することを特徴とする請求項１８記載の方法。
【請求項２０】
少なくとも１つの離間したスプリンクラーが４つの水力学的に離間したスプリンクラーを具備し、
作動されたスプリンクラーとモデルの作動されたスプリンクラーの各々への水供給とを有するスプリンクラーシステムを水力学的にモデルとするコンピュータープログラムを使用する最小流体供給時間及び最大流体供給時間内に４つの水力学的に離間したスプリンクラーの各々に流体が供給されることを立証する過程を更に具備することを特徴とする請求項１５乃至１９のいずれか１つに記載の方法。
【請求項２１】
約２４１．５平方メートル（約２６００平方フィート）より小さい水力学的設計面積を提供する過程を更に具備することを特徴とする請求項１５乃至１８のいずれか１つに記載の方法。
【請求項２２】
ラック貯蔵物が、約１３．７ｍ（約４５フィート）よりも高くない天井高さを有する天井の下に配置されて、貯蔵物高さが約１２．１２ｍ（約４０フィート）迄であり、複数のスプリンクラーの配設が、約２３２．２平方メートル（約２５００平方フィート）以下であるシステムの水力学的設計面積を規定していることを特徴とする請求項１５乃至１８のいずれか１つに記載の方法。
【請求項２３】
取付ける過程のパイプのネットワークが、１つのループ形状又は木の形状としてネットワークを形作っていることを特徴とする請求項１５乃至１９のいずれか１つに記載の方法。
【請求項２４】
火災の場合に、スプリンクラーの作動前に火災検知器が作動するように、複数のスプリンクラーに対して１つ以上の火災検知器を間隔を置いて配置する過程を更に具備することを特徴とする請求項１５乃至１９のいずれか１つに記載の方法。
【請求項２５】
配設する過程の複数のスプリンクラーが、約１７であるＫファクターを有する複数のスプリンクラーであることを特徴とする請求項１５乃至１９のいずれか１つに記載の方法。
【請求項２６】
配設する過程の複数のスプリンクラーが、約２５であるＫファクターを有する複数のスプリンクラーであることを特徴とする請求項１５乃至１９のいずれか１つに記載の方法。
【請求項２７】
約１０３４ｈＰａ（約１５ｐｓｉ）から約４１３８ｈＰａ（約６０ｐｓｉ）に及ぶ動作圧力を複数のスプリンクラーに提供する過程を更に具備することを特徴とする請求項１５乃至１９のいずれか１つに記載の方法。